(57)【特許請求の範囲】
【請求項１】
内容液を収納し、上部に設けられたステムを押し下げると内容液を噴出させるエアゾール缶と、該エアゾール缶の上部に組み付ける保持具と、前記ステムに嵌合する導入口と該導入口に連通したノズルを具え、前記保持具に上下動自在に組み付けられたヘッド部材と、該ヘッド部材を押し下げるレバーを該ヘッド部材の上方に具え、前記保持具に固定されたレバー部材とからなるエアゾール式噴出容器において、
前記ヘッド部材の上壁に、後面を円弧状に湾曲させ、かつ該湾曲面に段部を形成した凹部を設け、
前記レバーの下面に、該レバーを押し下げると前記凹部の湾曲面に当接して下降する突片を設け、更に前記突片は、前記レバーの押し下げにより、前記段部に一時的に係合した後該段部を越えて下降するように構成し、
該突片が段部を越えることにより前記レバーが大きく押し下げられ、前記ノズルから内容液を噴出させると同時に、前記レバーの下面と前記ヘッド部材の上壁の当接により打音を発生させることとしたエアゾール式噴出容器。
【請求項２】
前記ヘッド部材の上壁で、前記凹部の前方に突部を設け、前記レバーの下面に、前記突部に当接する押圧突部を設け、前記レバーを押し下げると前記突部と前記押圧突部が当接して前記ヘッド部材を押し下げるとともに、前記突片が湾曲面に当接してヘッド部材が後方に押される力を、前記押圧突部が前記突部に当接することにより相殺させることとした請求項１に記載のエアゾール式噴出容器。
【請求項３】
エアゾール缶は、左右に二本並列に配置したエアゾール缶であり、該二本のエアゾール缶のステムにヘッド部材を組み付け、両ステムを同時に押し下げてノズルから内容液を噴出させることとした請求項１または２に記載のエアゾール式噴出容器。
【発明の詳細な説明】
【技術分野】
【０００１】
本発明は、レバーを押圧して内容液を噴出させるエアゾール式噴出容器に関する。
【背景技術】
【０００２】
毛染め剤などでは、異種液体を収納させた二本のエアゾール缶を左右一対に固定し、二本のエアゾール缶から同時に内容液を噴出させるエアゾール式噴出容器が知られている。かかるエアゾール式噴出容器においては、例えばエアゾール缶のステムを押し下げて内容液を噴出させるヘッド部材と、このヘッド部材を押し下げるレバーを具え、各エアゾール缶のステムを同時に押し下げるようにしている。
【０００３】
【特許文献１】特開平１１−３３４７６７号公報
【発明の開示】
【発明が解決しようとする課題】
【０００４】
しかしながら、エアゾール缶は若干バラツキが生じることは製造上避けられず、組み合わせた一対のエアゾール缶のステムの高さやばね圧などに微妙な違いが生じることがある。するとレバーを押し下げていったとき、一方のエアゾール缶が、他方のエアゾール缶より先に内容液を噴出させたり、また、双方のエアゾール缶から噴出した状態でも、双方の吐出量に差が生じていることがある。
【０００５】
特に使用者が、初めてこのタイプの容器を使用するとき、液体噴出量がどの程度か解らないため使用者がレバーをゆっくり押し下げ、いずれか一方のエアゾール缶から内容液が噴出した時点でレバーの押し下げを止めてしまうことがあり、片方のエアゾール缶内の液体だけが噴出して、他方のエアゾール缶内の液体の噴出がない、あるいは微量な噴出状態となり、誤った配合比率で噴出させた内容液をそのまま使用してしまう恐れがあった。
【０００６】
またヘッド部材は、レバーによって真下方向に押し下げられないと、ヘッド部材が前、あるいは後の壁体に当接し、ヘッド部材の円滑な動きに支障が出ることがある。
【０００７】
本発明は、レバーの押し下げを確実に行わせ、例えば片方のエアゾール缶からの噴出しか行われないような中途半端なレバーの押し下げを防止して、対になった二本のエアゾール缶の両ステムを確実に押し下げ、エアゾール缶の双方からバランスよく適正な配合比率で内容液を噴出させることができるエアゾール式噴出容器を提供することを目的とする。
【０００８】
また、ヘッド部材を円滑に押し下げることができるエアゾール式噴出容器を提供することを目的とする。
【課題を解決するための手段】
【０００９】
本発明のエアゾール式噴出容器は、次のように構成した。
【００１０】
１、すなわち内容液を収納し、上部に設けられたステムを押し下げると内容液を噴出させるエアゾール缶と、エアゾール缶の上部に組み付ける保持具と、ステムに嵌合する導入口とその導入口に連通したノズルを具え、保持具に上下動自在に組み付けられたヘッド部材と、ヘッド部材を押し下げるレバーを具え、ヘッド部材の上方で保持具に固定されたレバー部材とからなるエアゾール式噴出容器において、
ヘッド部材の上壁に、後面を湾曲面とし、その湾曲面に段部を形成した凹部を設け、
レバーの下面に、ヘッド部材の凹部の湾曲面に当接する突片を設け、更に突片は、レバーの押し下げにより、段部に一時的に係合した後段部を越えて下降するように構成し、
突片が段部を越えることによりレバーが大きく押し下げられ、ノズルから内容液を噴出させると同時に、レバーの下面がヘッド部材の上壁に当接して打音を発生させることとしてエアゾール式噴出容器を構成した。
【００１１】
２、１のエアゾール式噴出容器において、ヘッド部材の上壁で、凹部の前方に突部を設け、またレバーの下面に、突部に当接する押圧突部を設け、レバーを押し下げると突部と押圧突部が当接してヘッド部材を押し下げるとともに、突片が湾曲面に当接してヘッド部材が後方に押される力を、押圧突部が突部に当接することにより相殺させることとした。
【００１２】
３、１と２のエアゾール式噴出容器において、エアゾール缶は、左右に二本並列に配置したエアゾール缶であり、二本のエアゾール缶のステムにヘッド部材を組み付け、同時に押し下げてノズルから内容液を噴出させることとした。
【発明の効果】
【００１３】
本発明のエアゾール式噴出容器は、次のような利点を有している。レバーを押し下げていくと、急にレバーが大きく押し下げられ、内容液の噴出が開始される。また、それに伴って打音が聞こえる。
【００１４】
これにより、使用者は特に意識することなく、自然に必要な位置までレバーを押し下げ内容液を噴出させることができる。また、打音により、レバーが確実に押し下げられたことを確認できる。更に、エアゾール式噴出容器のステムが十分に押し下げられるので、常に内容液が確実に噴出される。
【００１５】
更に、ヘッド部材に加えられる前後方向の力は打ち消され、レバーを円滑に作動できる。
【００１６】
二連式のエアゾール式噴出容器においては、二本のエアゾール缶の双方から内容液を確実に噴出させることができ、しかも内容液を円滑に噴出できる。
【発明を実施するための最良の形態】
【００１７】
図１０にエアゾール式噴出容器２を示す。
【００１８】
エアゾール式噴出容器２は、二本のエアゾール缶４と、エアゾール缶４を固定する固定具６（図１に図示。）と、固定されたエアゾール缶４に組み付ける噴出部８から構成されている。
【００１９】
二本のエアゾール缶４は、それぞれ異種の内容液を収納したエアゾール缶で、例えば毛染め剤など内容液を混合して用いる液剤を収納している。尚二本のエアゾール缶４は、同種の液剤を収納したエアゾール缶でもよい。
【００２０】
固定具６は、エアゾール缶４の上部を組み付ける孔を二箇所に具え、孔にエアゾール缶４の上部を挿入してエアゾール缶４を並列して固定し、噴出部８に組み付ける。
【００２１】
噴出部８は、図２に示すように長円の筒状体である保持具１０と、ノズル１３を具えたヘッド部材１２と、レバー１５を具えたレバー部材１４から構成してある。
【００２２】
保持具１０は、長手方向両側に、固定具６を着脱自在に係止する係止片１６が回動自在に設けてある。保持具１０の短径方向には、ノズル１３を配置させる窪み２０が前方に、またレバー１５を配置させる窪み２２が後方にそれぞれ形成してある。
【００２３】
保持具１０の上半部は、内筒１１を有する二重構造となっており、内筒１１の下端には、内側に張り出したリブ２９が形成してある。
【００２４】
ヘッド部材１２は、内部に導出路３２（図５に示す。）を２箇所具えた長円形で、内筒１１内に、上下動自在に収められている。ヘッド部材１２の前面には導出路３２に連通したノズル１３が取り付けてあり、下面には、エアゾール缶４のステム５を嵌合させる導入口２６が一対、固定具６に組み付けられたエアゾール缶４のステム５に合わせて設けてある。導入口２６は、それぞれ個別に導出路３２の内部に連通し、図４に示すように導出路３２を介してノズル１３に連通している。
【００２５】
ヘッド部材１２の上壁１８の前方には、図３〜５に示すように、前方を高く傾斜させた突部１７が左右対称の位置に設けてある。一方上壁１８の後方には、図３、４に示すように、後方を湾曲面とした凹部１９が設けてある。また湾曲面には突起２１が設けてあり、突起２１により湾曲面に段部が形成されている。
【００２６】
尚ヘッド部材１２は、ノズル１３を含む上半部と、導入口２６を含む下半部を一体に成形し、後方のヒンジ３０で折り曲げ、上下を組み合わせて形成してある。更にヒンジ３０は、ヘッド部材１２が内筒１１の内部で上下動する際のガイドとなっている。
【００２７】
レバー部材１４は、図６にも示すように内筒１１の内部にほぼ一致する長円形に形成してある。レバー部材１４の長手方向両端には、内筒１１の内面に係合する突片３６が設けてある。レバー部材１４の前方には、ノズル１３を通すための切り欠き２７が形成してあり、レバー部材１４の後方には、図７にも示すようにレバー１５がヒンジ２４を介して上下に回動自在に設けてある。
【００２８】
ヒンジ２４は、図６に示すようにレバー１５の横幅いっぱいに形成されている。これにより、レバー１５は、レバー部材１４に対して左右に傾斜することなく上下方向に回動する。レバー１５は、後部に指置きのための窪みを具え、下面には、突片２３と押圧突部２５が形成してある。
【００２９】
突片２３は、レバー部材１４を保持具１０に組み付けたとき凹部１９に対向するよう、２箇所、左右均等に設けてある。そして突片２３は、レバー部材１４を保持具１０に組み付けた状態でレバー１５を押し下げると、凹部１９の湾曲面に先端が当接し、湾曲面に沿って降下する。更に、突片２３は、レバー１５を少し押し下げた時点で突起２１に係合し、かつある程度の力を加えることで突起２１を乗り越えるようになっている。
【００３０】
更に、突片２３と突起２１が係合したときは、レバー１５の下面とヘッド部材１２の上壁１８との間に、間隙があり、突片２３が突起２１を越えると、レバー１５がレバー１５の下面と上壁１８が当接するまで下がる。ヘッド部材１２は、ステム５のばね力で上方に付勢されていることによりレバー１５の下面が上壁１８に当接した際、打音が発生する。
【００３１】
押圧突部２５は、レバー部材１４を保持具１０に組み付けたとき突部１７に当接するように２箇所、左右均等な位置に設けてある。押圧突部２５は、レバー１５を押し下げると、ヘッド部材１２を下方に押し下げるとともに突部１７を後方から前方に向けて押し付け、ヘッド部材１２を前方に移動させるように付勢する。
【００３２】
次に、エアゾール式噴出容器２の作用について説明する。
【００３３】
図１の状態からレバー１５を押し下げると、押圧突部２５がヘッド部材１２の上壁１８を押し下げ、ヘッド部材１２を押し下げる。また突片２３は、凹部１９内の湾曲面に沿って下降する。そして突片２３が、図８に示すように突起２１に係合すると、突起２１に係合した突片２３によってヘッド部材１２が押し下げられる。尚この時点では、まだステム５は内部の弁が開放されていない。
【００３４】
そしてそのまま押し下げを続けて突片２３が突起２１を越えると、図９に示すように突片２３が凹部１９内に入り込むとともにその勢いでレバー１５が押し下げられ、ステム５の弁が完全に開放されるまでヘッド部材１２が一気に押し下げられる。また、突片２３が突起２１を越えるとレバー１５の下面がヘッド部材１２の上壁１８に当接して、打音を発生させる。
【００３５】
したがって、突片２３と突起２１の係合が外れ、レバー１５が一気に押し下げられると、二本のエアゾール缶４のステム５の双方が全押しの状態まで確実に押圧され、ノズル１３から適正な配合比率で内容液を噴出させることができる。しかもその際、レバー１５と上壁１８の当接により発生した打音が聞こえ、噴出を確認できる。
【００３６】
更に、レバー１５を押し下げた際、押圧突部２５が突部１７を前方に向けて押し付けるので、突片２３が凹部１９の湾曲面に当接してヘッド部材１２を後方に付勢しても、その力を相殺し、前後方向の力の発生を解消させる。したがって、ヘッド部材１２には真下に向かう力しかかからず、ヘッド部材１２を円滑に上下動させることができる。
尚、上記例では二本のエアゾール缶４を用いたエアゾール式噴出容器２を例に説明したが、本発明は、単一のエアゾール缶に用いてもよい。また、上記例では段部を突起２１で形成したが、本発明は突起に限らず、突片２３が一時的に係止されるものであれば他の手段を用いて段部を形成してよい。
【図面の簡単な説明】
【００３７】
【図１】本発明にかかるエアゾール式噴出容器の部分断面図である。
【図２】噴出部の分解斜視図である。
【図３】ヘッド部材の平面図である。
【図４】ヘッド部材の側面断面図である。
【図５】ヘッド部材の正面断面図である。
【図６】レバー部材の平面図である。
【図７】レバー部材の側面図である。
【図８】噴出部の作用を示す図である。
【図９】噴出部の作用を示す図である。
【図１０】エアゾール式噴出容器を示す斜視図である。
【符号の説明】
【００３８】
２    エアゾール式噴出容器
４    エアゾール缶
５    ステム
６    固定具
８    噴出部
１０  保持具
１１  内筒
１２  ヘッド部材
１３  ノズル
１４  レバー部材
１５  レバー
１６  係合片
１７  突部
１８  上壁
１９  凹部
２０  窪み
２１  突起
２２  窪み
２３  突片
２４  ヒンジ
２５  押圧突部
２６  導入口
２７  窪み
２９  リブ
３０  ヒンジ
３２  導出路
３６  係合部
【図１】
0004721167.tif 000002
【図２】
0004721167.tif 000003
【図３】
0004721167.tif 000004
【図４】
0004721167.tif 000005
【図５】
0004721167.tif 000006
【図６】
0004721167.tif 000007
【図７】
0004721167.tif 000008
【図８】
0004721167.tif 000009
【図９】
0004721167.tif 000010
【図１０】
0004721167.tif 000011